(57)【要約】【課題】軸方向の滑りを防止し、膜厚制御可能な塗装用ローラ及びこれを用いた塗装方法を提供する。【解決手段】ローラ芯部材及び円筒状多孔質部材からなり、ローラ芯内部から塗料が円筒状多孔質部材表面に浸出する塗装用ローラにおいて、前記ローラ芯部材は、中空構造で塗料の供給路となり、且つ複数の塗料吐出孔が被塗物面方向に設けられた固定軸と、その両端に設けられた回転体とからなり、前記回転体は、周面に複数のピンが周方向に間隔をあけて設けられ、前記固定軸を回転の中心として、円筒状多孔質部材と連動して回転することを特徴とする塗装用ローラ、及びこれを用いて塗料を塗装することを特徴とする塗装方法。【選択図】図１
2011016073.tif 000002
【特許請求の範囲】
【請求項１】
ローラ芯部材及び円筒状多孔質部材からなり、ローラ芯内部から塗料が円筒状多孔質部材表面に浸出する塗装用ローラにおいて、
前記ローラ芯部材は、中空構造で塗料の供給路となり、且つ複数の塗料吐出孔が被塗物面方向に設けられた固定軸と、その両端に設けられた回転体とからなり、
前記回転体は、周面に複数のピンが周方向に間隔をあけて設けられ、前記固定軸を回転の中心として、円筒状多孔質部材と連動して回転することを特徴とする塗装用ローラ。
【請求項２】
前記回転体の直径を円筒状多孔質部材の側面円直径より小さくする請求項１記載の塗装用ローラ。
【請求項３】
前記ピンの直径が０．５〜２．０ｍｍで、ピンとピンの間隔が１．０〜５．０ｍｍとなるように回転体の周面に設けられる請求項１記載の塗装用ローラ。
【請求項４】
請求項１ないし３のいずれか１項に記載の塗装用ローラを用いて塗料を塗装することを特徴とする塗装方法。
【発明の詳細な説明】
【技術分野】
【０００１】
本発明は、軸方向の滑りを防止し、膜厚制御可能な塗装用ローラ及びこれを用いた塗装方法に関する。
【背景技術】
【０００２】
一般住宅、ビル、塀、船舶の内外壁面などにハンドローラ塗装具を用いて液状塗料を塗装することは広く行なわれている。ローラ塗装は、回転可能なローラの多孔質部分に液状塗料を浸みこませ、それを被塗物の表面で回転させながら塗料を被塗面に転写することにより塗装を行う方法であり、噴霧塗装に比べて、塗料の飛散が少ないので作業環境上良好であり、しかも塗着効率がすぐれている。
【０００３】
上記従来のローラ塗装において、塗装面積が大きくなるとローラの多孔質部分への塗料浸み込み作業の回数が増加し、労力が多大となって塗装能率が低下し、さらに塗装中に塗料がタレたりすることは避けられず周囲を汚染することがあるなどの欠陥を有している。そこで、塗料を圧送ローラ塗装機に圧送して塗装を行う圧送ローラ塗装装置が種々提案されている（特許文献１、特許文献２、特許文献３参照）。また自動塗装装置に対応可能な塗布用ローラも提案されている（特許文献４参照）。
【０００４】
このような圧送ローラは、塗料の吐出量の制御やローラを被塗面に押し付ける圧力、モータ等の回転機器による強制回転などで滑りを防止するよう制御されていた。また塗装膜厚制御をするためには、ローラの材質や厚みを選択するか、供給する塗料の希釈率を変動させる必要があった。これに対し特許文献５では、ローラの端部に円板状の塗装厚設定部材が設けられた塗装装置が提案されており、ローラの外周面と被塗装面との距離を一定に保持して塗装することで粘度の高い塗料でも均一にすることが開示されている。
【先行技術文献】
【特許文献】
【０００５】
【特許文献１】特開２００２−１１９９０９号公報
【特許文献２】特開２００４−３５８４６０号公報
【特許文献３】特開平９−１９２５８４号公報
【特許文献４】特開２００４−６６２１５号公報
【特許文献５】特開平７−２８９９７８号公報
【発明の概要】
【発明が解決しようとする課題】
【０００６】
しかしながら、特許文献５のローラ塗装装置では、例えば塗り重ね時に未硬化塗膜に円板の跡が付く恐れがあり、また円板部分に未乾燥の塗料が付着すると滑りの原因となるため、完全に乾燥硬化するまで作業を待つ必要があった。また被塗装面が垂直面の場合にはローラの塗料の含み過剰となったり、塗料がタレる恐れがあった。
【０００７】
本発明の目的は、軸方向の滑りを防止し、膜厚制御可能な塗装用ローラ及びこれを用いた塗装方法を提供することにある。
【課題を解決するための手段】
【０００８】
本発明は、ローラ芯部材及び円筒状多孔質部材からなり、ローラ芯内部から塗料が円筒状多孔質部材表面に浸出する塗装用ローラにおいて、前記ローラ芯部材は、中空構造で塗料の供給路となり、且つ複数の塗料吐出孔が被塗物面方向に設けられた固定軸と、その両端に設けられた回転体とからなり、前記回転体は、周面に複数のピンが周方向に間隔をあけて設けられ、前記固定軸を回転の中心として、円筒状多孔質部材と連動して回転することを特徴とする塗装用ローラ、及びこれを用いて塗料を塗装することを特徴とする塗装方法、に関する。
【発明の効果】
【０００９】
本発明の塗装用ローラによれば、塗り重ね時に未硬化塗膜上でも殆ど跡が付かず、またローラの軸方向の滑りを防止して容易に塗装膜厚を制御することが可能である。また垂直面の塗装時にも塗料がタレることなく均一に塗装することができる。
【図面の簡単な説明】
【００１０】
【図１】本発明に係る塗装用ローラの一実施態様を示す概略図である。
【図２】図１の塗装用ローラの分解図である。
【図３】図１の塗装用ローラを用いた塗装状態を示す側面図である。
【発明を実施するための形態】
【００１１】
本発明に係る塗装ローラについて、好適な実施形態を例として、以下に図１〜図３を参照しつつ説明する。
【００１２】
塗装用ローラは、図１及び図２の通り、ローラ芯部材及び円筒状多孔質部材からなり、前記ローラ芯部材は、芯部本体５に、中空構造で塗料の供給路となり、且つ複数の塗料吐出孔６が被塗物面方向に設けられた固定軸１が連通し、その固定軸の両端に回転体３が設けられたものである。回転体３の周面には、複数のピン４が周方向に間隔をあけて設けられており、回転体３は、前記固定軸１を回転の中心として、円筒状多孔質部材２と連動し負荷無く回転する。
【００１３】
円筒状多孔質部材２は、剛性を有する剛性樹脂、金属などによって形成された円筒ドラムに羊毛や化学繊維、スポンジなどが接着又は植設されており、円筒ドラムの周壁には多数の孔が貫設され、内側から外側に塗料が滲み出るような構造を有している。
【００１４】
塗料は固定軸１から、一定方向(被塗物方向)に吐出される。固定軸１には塗料吐出孔６として、小さな穴を数個〜十数個配置し、各々の孔径を変えることで均一に吐出孔から塗料を吐出させることができる。吐出孔の孔径と配置の仕方は、塗料粘度、必要とされる吐出量や必要とされる膜厚を考慮し、ハーゲンポアズイユの法則等により、各孔から均一に塗料が吐出する設計を適宜行なうことができる。
これによってローラ芯内部から塗料が円筒状多孔質部材２表面に均一に浸出し、また含み過剰を防止することができる。
【００１５】
回転体３は、固定軸１の両端に設置され、円筒状多孔質部材２を挟む形で、回転体３の円筒状多孔質部材固定部７及び液漏れ防止リング８によって円筒状多孔質部材２と一体化することができる。
【００１６】
回転体３の直径は、塗料のタレ防止や塗膜成形の点から、円筒状多孔質部材の側面円直径より小さく設計することが望ましい。
【００１７】
回転体３の周面に設けられた複数のピン４は、未硬化塗膜上に殆ど跡が付かないよう塗膜面との接触面積をより小さくするために設けられたものであり、鉄やステンレス等の金属線や釘のようなスパイクを有した形状で、先端をより鋭利にすることが望ましい。ピンの直径やピンとピンとの間隔は特に制限されるものではなく、塗料のレベリング性の点からは、ピンの直径が０．５〜２．０ｍｍ、特に０．５〜０．７ｍｍであることが望ましく、またローラ直径、ローラの被塗面への押付け圧力、ローラ転がり性や塗料レベリング性の点からは、ピンとピンの間隔が１．０〜５．０ｍｍ、特に２．０〜４．０ｍｍとなるように回転体の周面に設けられることが望ましい。
【００１８】
本発明方法では、上記構成を有する塗装用ローラを用いて塗料を塗装する。図３のように、被塗面１０に対し設置された塗装用ローラは、ピン４によって接触し、これによって円筒状多孔質部材２表面と被塗面１０との距離が一定に保たれる。塗装時には回転体３を塗装方向に転動させると共に円筒状多孔質部材２が回転し、塗料供給源（図示せず）から供給路である固定軸１に塗料が供給され、円筒状多孔質部材２表面から浸出した塗料が被塗面１０に塗着する。
【００１９】
上記塗料としては、それ自体既知の液状塗料が使用され、目的により任意に選択できる。具体的には、水系、有機溶剤系の塗料があげられる。該塗料は無色透明、着色透明、着色不透明の塗膜を形成できる。
【符号の説明】
【００２０】
以下、〔図１〕〜〔図３〕における符号を説明する。
１  固定軸
２  円筒状多孔質部材
３  回転体
４  ピン
５  ローラ芯部本体
６  塗料吐出孔
７  円筒状多孔質部材固定部
８  液漏れ防止リング
１０  被塗面
１１  塗着塗料
【図１】
2011016073.tif 000003
【図２】
2011016073.tif 000004
【図３】
2011016073.tif 000005